(57)【要約】      （修正有）【課題】圧力調整バネユニットの圧縮ばねの変形あるいは上ケース体の破裂が起り難い圧力スイッチを提供する。【解決手段】圧力スイッチ(Pressure Switches)は底台、下ケース体、上ケース体、外ケース、第一伝動板６１、第二伝動板６２、第三伝動板６３、プルばね６４、圧力調整ばねユニット、微調整ばねユニット、圧力制御弁６７、制御棒６８により構成する。該制御棒のフック端は該第二伝動板に接合し手動制御装置を組成するため、該制御棒を利用し該第二伝動板の上下移動を直接連動することで、圧力スイッチの圧力制御弁及び電源を簡単に開閉可能とする。【選択図】図７
0003142134.tif 000002
【実用新案登録請求の範囲】
【請求項１】
圧力スイッチは底台、下ケース体、上ケース体、外ケース、第一伝動板、第二伝動板、第三伝動板、プルばね、圧力調整ばねユニット、微調整ばねユニット、圧力制御弁、制御棒により構成し、
該制御棒と該第二伝動板により組成する手動制御装置により、該圧力スイッチの圧力制御弁及び電源を簡単に開閉可能であることを特徴とする圧力スイッチ。
【請求項２】
前記下ケース体底部には通孔を設置し、該下ケース体の第一側壁には可動孔を設置し、該可動孔上方は外へと突出し孔台を設置し、該可動孔下方は外へと突出しガード板を設置し、
該下ケース体の第二側壁には軸孔を設置し、該下ケース体底部は該底台上方に接合することを特徴とする請求項１記載の圧力スイッチ。
【請求項３】
前記上ケース体は該下ケース体上方に嵌合し、該上ケース体と該下ケース体は該底台上方に一緒に螺合することを特徴とする請求項１記載の圧力スイッチ。
【請求項４】
前記外ケースは該上ケース体と該下ケース体の上方に嵌合し、該外ケースと該下ケース体は該底台上方に一緒に螺合することを特徴とする請求項１記載の圧力スイッチ。
【請求項５】
前記第一伝動板は該下ケース体内に設置することを特徴とする請求項１記載の圧力スイッチ。
【請求項６】
前記第二伝動板の片側は外へと延伸アームを伸出し、該第二伝動板の延伸アームは該下ケース体第一側壁の可動孔外に伸出し、該可動孔上方において外へと突出し設置する孔台と、該可動孔下方において外へと突出し設置するガード板の間に位置し、該第二伝動板は該第一伝動板上方に設置することを特徴とする請求項１記載の圧力スイッチ。
【請求項７】
前記プルばねのフック端は該第一伝動板に係合し、該プルばねのもう一つのフック端は該第二伝動板に係合することを特徴とする請求項１記載の圧力スイッチ。
【請求項８】
前記第三伝動板は該上ケース体と該第二伝動板の間に設置することを特徴とする請求項１記載の圧力スイッチ。
【請求項９】
前記圧力調整ばねユニットは圧力調整ネジ、双翼ナット、圧縮ばねにより組成し、該圧力調整ばねユニットは該上ケース体内に設置することを特徴とする請求項１記載の圧力スイッチ。
【請求項１０】
前記微調整ばねユニットは圧力調整ネジ、圧縮ばね、プラスチック端子３により組成し、該微調整ばねユニットは該上ケース体内に設置することを特徴とする請求項１記載の圧力スイッチ。
【請求項１１】
前記圧力制御弁はナットにより該下ケース体第一側壁の孔台上に接合することを特徴とする請求項１記載の圧力スイッチ。
【請求項１２】
前記制御棒は数字の７字型を呈し、該制御棒のフック端は該下ケース体第二側壁の軸孔に穿入し、該第二伝動板に接合し、該制御棒の軸棒は該下ケース体第二側壁の軸孔に係合し、該制御棒のハンドルは該下ケース体第二側壁の軸孔外に設置することを特徴とする請求項１記載の圧力スイッチ。
【請求項１３】
前記制御棒のフック端は該第二伝動板に接合し、該制御棒を利用し該第二伝動板の上下移動を直接連動することを特徴とする請求項１記載の圧力スイッチ。
【考案の詳細な説明】
【技術分野】
【０００１】
本考案は圧力スイッチ(Pressure Switches)に関する。特に手動制御装置を設置し、手動制御装置の手動棒を利用し第二伝動板の上下移動を直接連動し、圧力制御弁及び電源を簡単に開閉可能な圧力スイッチに係る。
【背景技術】
【０００２】
圧力スイッチ(Pressure Switches)は圧力により操作する電気スイッチで、電機駆動のエアコンプレッサーシリンダー中の圧力を制御し、これにより予め設定する２個の圧力値の間で運転させるものである。圧力スイッチは圧力制御弁を設置し、これによりエアコンプレッサーはオーバーロードでの起動を回避することができ、制御棒を増設することで、手動でエアコンプレッサーシリンダーを連接する圧力制御弁を開き空気をぬき、同時にエアコンプレッサーの電源を切断し、エアコンプレッサーの運転を停止させる。また四個の底台接続口は、圧力制御弁と圧力メーターの設置をより簡単にすることができる。
【０００３】
図１〜４に示すように、公知の圧力スイッチ１は底台１１、下ケース体１２、上ケース体１３、外ケース１４、第一伝動板２１、第二伝動板２２、第三伝動板２３、プルばね２４、圧力調整ばねユニット２５、微調整ばねユニット２６、圧力制御弁２７、制御棒２８により構成する。該底台１１には進気孔１１１、第一圧力釈放孔１１２、第二圧力釈放孔１１３、第三圧力釈放孔１１４を設置する。該底台１１の第一圧力釈放孔１１２は気圧ゴムブロック１１２０を外接し合する。該下ケース体１２底部には通孔１２１を設置し、該下ケース体１２の第一側壁１２２には可動孔１２３を設置する。該可動孔１２３上方は外部へと突出し孔台１２４を形成する。該可動孔１２３下方は外部へと突出しガード板１２５を形成する。該下ケース体１２の第二側壁１２６には軸孔１２７を設置し、該下ケース体１２底部は該底台１１上方に接合する。該下ケース体１２底部の通孔１２１は該底台１１の第一圧力釈放孔１１２が外接する気圧ゴムブロック１１２０上方に設置する。該上ケース体１３はプラスチック材料により製造し、該上ケース体１３上方中央には可動孔１３１を設置する。該可動孔１３１前側には二個のばね槽１３２、１３３を設置する。該ばね槽１３２内には対応する二本の嵌合槽１３２１、１３２２を設置する。該ばね槽１３２の上出口１３２３内縁は適当に内縮し、該ばね槽１３３上段には内ネジヤマ１３３１を設置し、該ばね槽１３３の下出口１３３２内縁は適当に内縮する。該可動孔１３１片側には開閉回路１３４を設置し、該開閉回路１３４は接触点１３４１と導電ばね片１３４２により組成する。該可動孔１３１反対側には開閉回路１３５を設置し、該開閉回路１３５は接触点１３５１と導電ばね片１３５２により組成する。該上ケース体１３は該下ケース体１２下方に嵌合し、該上ケース体１３と該下ケース体１２は該底台１１上方に一緒に螺合する。該外ケース１４は該上ケース体１３と該下ケース体１２上方に嵌合し、該外ケース１４と該下ケース体１２は該底台１１上方に一緒に螺合する。
【０００４】
該第一伝動板２１中央底部は下向きに凸部２１１を形成し、該第一伝動板２１前段にはスリーブ２１２を設置する。該スリーブ２１２片側は上方へと９０度湾折し嵌合槽２１３を設置する。該スリーブ２１２の反対側は上方へと９０度湾折し、さらに外へと９０度湾折し翼部２１４を設置する。該第一伝動板２１は該下ケース体１２内に設置し、該第一伝動板２１の凸部２１１は該下ケース体１２底部の通孔１２１内にちょうど収容され、該下ケース体１２底部通孔１２１下方の気圧ゴムブロック１１２０に抵触する。該第二伝動板２２の片側は外へと延伸アーム２２１を伸出し、該第二伝動板２２中央部には上方へと約４５度傾斜を呈するばね片２２２を設置する。該第二伝動板２２の中央部、すなわちばね片２２２の片側には嵌合孔２２３を設置する。該第二伝動板２２は該第一伝動板２１上方に設置し、該第二伝動板２２の延伸アーム２２１は該下ケース体１２第一側壁１２２の可動孔１２３外へと伸出し、該可動孔１２３上方において外へと突出設置する孔台１２４と該可動孔１２３下方において外へと突出設置するガード板１２５の間に位置する。該プルばね２４のフック端２４１は該第一伝動板２１の嵌合槽２１３に係合し、該プルばね２４のもう一つのフック端２４２は該第二伝動板２２の嵌合孔２２３に係合する。該第三伝動板２３はベークライトにより製造する絶縁板で、該第三伝動板２３上方は上方へと突出するスライドブロック２３１で、該第三伝動板２３の下方は下方へと突出する触発ブロック２３２である。該第三伝動板２３の前方は前方へと突出するスライドブロック２３３で、該第三伝動板２３の後方は後方へと突出するスライドブロック２３４である。該第三伝動板２３の左右両側は外へと伸出し圧棒２３５、２３６をそれぞれ形成する。該第三伝動板２３は該上ケース体１３と該第二伝動板２２の間に設置し、該第三伝動板２３のスライドブロック２３１は該上ケース体１３の可動孔１３１に嵌入する。該第三伝動板２３の前方と後方のスライドブロック２３３、２３４は該上ケース体１３の対応する二本のスライドレール（図示なし）に対応し嵌入する。該第三伝動板２３の圧棒２３５は該上ケース体１３の開閉回路１３４の導電ばね片１３４２下縁に抵触し、該第三伝動板２３の圧棒２３６は該上ケース体１３の開閉回路１３５の導電ばね片１３５２下縁に抵触する。該第三伝動板２３の触発ブロック２３２底端は該第二伝動板２２中央部のばね片２２２上縁に抵触する。
【０００５】
該圧力調整ばねユニット２５は圧力調整ネジ２５１、双翼ナット２５２、圧縮ばね２５３により組成する。該圧力調整ばねユニット２５は該上ケース体１３のばね槽１３２内に設置し、該圧力調整ばねユニット２５の圧力調整ネジ２５１底部は該第一伝動板２１前段のスリーブ２１２外縁に嵌設し、該圧力調整ネジ２５１が該双翼ナット２５２に螺合する深度を利用し、該圧縮ばね２５３は該第一伝動板２１に圧力を加える。該微調整ばねユニット２６は圧力調整ネジ２６１、圧縮ばね２６２、プラスチック端子２６３により組成する。該微調整ばねユニット２６は該上ケース体１３のばね槽１３３内に設置し、該微調整ばねユニット２６のプラスチック端子２６３は該第一伝動板２１前段の翼部２１４上縁に抵触し、該圧力調整ネジ２６１が該ばね槽１３３上段の内ネジヤマ１３３１に螺合する深度を利用し、該微調整ばねユニット２６は該プラスチック端子２６３により該第一伝動板２１に圧力を加える。該圧力制御弁２７はナット２７０により該下ケース体１２第一側壁１２２の孔台１２４上に接合し、該圧力制御弁２７の溢気ピストン２７１は該孔台１２４下方に向かい適当に伸出し、該下ケース体１２第一側壁１２２の可動孔１２３前方に位置し、該第二伝動板２２の延伸アーム２２１上縁に抵触する。
【０００６】
エアコンプレッサー(図示なし)のシリンダー（図示なし）は該底台１１の進気孔１１１に接合し、該シリンダーの空気は該底台１１の進気孔１１１より該底台１１の第一圧力釈放孔１１２、該第二圧力釈放孔１１３、該第三圧力釈放孔１１４へと進入する。送気管（図示なし）は該底台１１の第二圧力釈放孔１１３と該圧力制御弁２７に連接し、別の送気管（図示なし）は該底台１１の第三圧力釈放孔１１４と該圧力メーター（図示なし）に連接する。該制御棒２８は数字の７字型を呈し、該制御棒２８のフック端２８１は該下ケース体１２第二側壁１２６の軸孔１２７に穿入し、該第一伝動板２１前段の翼部２１４下縁に抵触する。該制御棒２８の軸棒２８２は該下ケース体１２第二側壁１２６の軸孔１２７に係合し、該制御棒２８のハンドル２８３は該下ケース体１２第二側壁１２６の軸孔１２７外に設置する。上方へと動かす制御棒２８のハンドル２８３により、該制御棒２８のフック端２８１は該第一伝動板２１を推し上方へと移動させ、該圧力調整ばねユニット２５の圧縮ばね２５３と該微調整ばねユニット２６の圧縮ばね２６２を圧縮し、該第二伝動板２２の延伸アーム２２１を連動し、該圧力制御弁２７の溢気ピストン２７１を上方へと推し、該圧力制御弁２７を開け、空気をぬく。さらに該第三伝動板２３を上方へと移動させ、該第三伝動板２３の圧棒２３５を連動し、該導電ばね片１３４２を推し該上ケース体１３開閉回路１３４の接触点１３４１から離れさせ上方へと移動させる。同時に、該第三伝動板２３の圧棒２３６を連動し、該導電ばね片１３５２を推し該上ケース体１３開閉回路１３５の接触点１３５１から離れさせ上方へと移動させ、圧力スイッチの電源を切断し、これによりエアコンプレッサー（図示なし）は運転を停止する。
【０００７】
上記のように、公知の圧力スイッチ１は上方へと動かす制御棒２８のハンドル２８３により、該制御棒２８のフック端２８１は該第一伝動板２１を推し上方へと移動させるため、該圧力調整ばねユニット２５の圧縮ばね２５３と該微調整ばねユニット２６の圧縮ばね２６２に対抗する必要上、極めて大きな力が必要である。これにより該圧力調整ばねユニット２５の圧縮ばね２５３は圧迫されゆがみ易く、プラスチック材料により製造される上ケース体１３は圧迫され破裂し易い。
【考案の開示】
【考案が解決しようとする課題】
【０００８】
本考案は圧力スイッチを提供する。圧力スイッチは底台、下ケース体、上ケース体、外ケース、第一伝動板、第二伝動板、第三伝動板、プルばね、圧力調整ばねユニット、微調整ばねユニット、圧力制御弁、制御棒により構成する。該制御棒と該第二伝動板により組成する手動制御装置により、該制御棒のフック端は該第二伝動板に接合し、該制御棒を利用し該第二伝動板の上下移動を直接連動することで、圧力スイッチの圧力制御弁及び電源を簡単に開閉可能である。こうして公知の圧力スイッチにおいて制御棒と第一伝動板により組成する手動制御装置が圧力スイッチの圧力制御弁及び電源を開閉する際に、第一伝動板上面の圧力調整ばねユニットと微調整ばねユニットの圧縮ばねに対抗する必要上、極めて大きな力を必要とし、これにより圧力調整ばねユニットの圧縮ばねは圧迫されゆがみ易く、プラスチック材料により製造される上ケース体は圧迫され破裂し易いという欠点を改善することができる。
本考案の主要な目のは、圧力スイッチを提供し、公知の圧力スイッチが第一伝動板と制御棒により組成する手動制御装置により、圧力スイッチの圧力制御弁と電源を開閉するため、公知の圧力スイッチが第一伝動板上面に設置する圧縮ばねに対抗する必要上、極めて大きな力を必要とし、これにより圧力調整ばねユニットの圧縮ばねは圧迫されゆがみ易く、プラスチック材料により製造される上ケース体は圧迫され破裂し易いという欠点を改善する。
本考案の次の目的は、圧力スイッチを提供し、手動制御装置により圧力スイッチの圧力制御弁と電源を開閉するため、圧力スイッチ内に設置する圧力調整ばねユニットと微調整ばねユニットに触れることがない。
本考案のもう一つの目的は、圧力スイッチを提供し、制御棒のフック端により第二伝動板が組成する手動制御装置に接合し、該制御棒のフック端は第二伝動板に接合し、制御棒を利用し第二伝動板の上下移動を直接連動し、こうして圧力スイッチの圧力制御弁と電源を簡単に開閉する。
【課題を解決するための手段】
【０００９】
請求項１の考案は、圧力スイッチは底台、下ケース体、上ケース体、外ケース、第一伝動板、第二伝動板、第三伝動板、プルばね、圧力調整ばねユニット、微調整ばねユニット、圧力制御弁、制御棒により構成し、
該制御棒と該第二伝動板により組成する手動制御装置により、該圧力スイッチの圧力制御弁及び電源を簡単に開閉可能であることを特徴とする圧力スイッチとしている。
請求項２の考案は、前記下ケース体底部には通孔を設置し、該下ケース体の第一側壁には可動孔を設置し、該可動孔上方は外へと突出し孔台を設置し、該可動孔下方は外へと突出しガード板を設置し、
該下ケース体の第二側壁には軸孔を設置し、該下ケース体底部は該底台上方に接合することを特徴とする請求項１記載の圧力スイッチとしている。
請求項３の考案は、前記上ケース体は該下ケース体上方に嵌合し、該上ケース体と該下ケース体は該底台上方に一緒に螺合することを特徴とする請求項１記載の圧力スイッチとしている。
請求項４の考案は、前記外ケースは該上ケース体と該下ケース体の上方に嵌合し、該外ケースと該下ケース体は該底台上方に一緒に螺合することを特徴とする請求項１記載の圧力スイッチとしている。
請求項５の考案は、前記第一伝動板は該下ケース体内に設置することを特徴とする請求項１記載の圧力スイッチとしている。
請求項６の考案は、前記第二伝動板の片側は外へと延伸アームを伸出し、該第二伝動板の延伸アームは該下ケース体第一側壁の可動孔外に伸出し、該可動孔上方において外へと突出し設置する孔台と、該可動孔下方において外へと突出し設置するガード板の間に位置し、該第二伝動板は該第一伝動板上方に設置することを特徴とする請求項１記載の圧力スイッチとしている。
請求項７の考案は、前記プルばねのフック端は該第一伝動板に係合し、該プルばねのもう一つのフック端は該第二伝動板に係合することを特徴とする請求項１記載の圧力スイッチとしている。
請求項８の考案は、前記第三伝動板は該上ケース体と該第二伝動板の間に設置することを特徴とする請求項１記載の圧力スイッチとしている。
請求項９の考案は、前記圧力調整ばねユニットは圧力調整ネジ、双翼ナット、圧縮ばねにより組成し、該圧力調整ばねユニットは該上ケース体内に設置することを特徴とする請求項１記載の圧力スイッチとしている。
請求項１０の考案は前記微調整ばねユニットは圧力調整ネジ、圧縮ばね、プラスチック端子３により組成し、該微調整ばねユニットは該上ケース体内に設置することを特徴とする請求項１記載の圧力スイッチとしている。
請求項１１の考案は、前記圧力制御弁はナットにより該下ケース体第一側壁の孔台上に接合することを特徴とする請求項１記載の圧力スイッチとしている。
請求項１２の考案は、前記制御棒は数字の７字型を呈し、該制御棒のフック端は該下ケース体第二側壁の軸孔に穿入し、該第二伝動板に接合し、該制御棒の軸棒は該下ケース体第二側壁の軸孔に係合し、該制御棒のハンドルは該下ケース体第二側壁の軸孔外に設置することを特徴とする請求項１記載の圧力スイッチとしている。
請求項１３の考案は、前記制御棒のフック端は該第二伝動板に接合し、該制御棒を利用し該第二伝動板の上下移動を直接連動することを特徴とする請求項１記載の圧力スイッチとしている。
【考案の効果】
【００１０】
本考案は制御棒と該第二伝動板により組成する手動制御装置により、制御棒のフック端は第二伝動板に接合し、制御棒を利用し第二伝動板の上下移動を直接連動することで、エアコンプレッサーシリンダーの圧力制御弁及び電源を簡単に開閉可能であるため、公知の圧力スイッチにおいて制御棒と第一伝動板により組成する手動制御装置がエアコンプレッサーシリンダーの圧力制御弁及び電源を開閉する際に、第一伝動板上面の圧力調整ばねユニットと微調整ばねユニットの圧縮ばねに対抗する必要上、極めて大きな力を必要とし、これにより圧力調整ばねユニットの圧縮ばねは圧迫されゆがみ易く、プラスチック材料により製造される上ケース体は圧迫され破裂し易いという欠点を改善することができる。
【考案を実施するための最良の形態】
【００１１】
図５〜８に示すように、本考案実施例の圧力スイッチ５は底台５１、下ケース体５２、上ケース体５３、外ケース５４、第一伝動板６１、第二伝動板６２、第三伝動板６３、プルばね６４、圧力調整ばねユニット６５、微調整ばねユニット６６、圧力制御弁６７、制御棒６８により構成する。該底台５１は進気孔５１１、第一圧力釈放孔５１２、第二圧力釈放孔５１３、第三圧力釈放孔５１４を設置する。該底台５１の第一圧力釈放孔５１２は気圧ゴムブロック５１２０を外接し合する。該下ケース体５２底部には通孔５２１を設置し、該下ケース体５２の第一側壁５２２には可動孔５２３を設置する。該可動孔５２３上方は外へと突出し孔台５２４を設置し、該可動孔５２３下方は外へと突出しガード板５２５を設置する。該下ケース体５２の第二側壁５２６には軸孔５２７を設置し、該下ケース体５２底部は該底台５１上方に接合する。該下ケース体５２底部の通孔５２１は該底台５１第一圧力釈放孔５１２が外接する気圧ゴムブロック５１２０上方に設置する。該上ケース体５３はプラスチック材料により製造するため、該上ケース体５３上方中央には可動孔５３１を設置する。該可動孔５３１前側には二個のばね槽５３２、５３３を設置する。該ばね槽５３２内には対応する二本の嵌合槽５３２１、５３２２を設置する。該ばね槽５３２の上出口５３２３内縁は適当に内縮し、該ばね槽５３３上段には内ネジヤマ５３３１を設置し、該ばね槽５３３の下出口５３３２内縁は適当に内縮する。該可動孔５３１片側には開閉回路５３４を設置し、該開閉回路５３４は接触点５３４１と導電ばね片５３４２により組成する。該可動孔５３１反対側には開閉回路５３５を設置し、該開閉回路５３５は接触点５３５１と導電ばね片５３５２により組成する。該上ケース体５３内縁、すなわち該二個の開閉回路５３４、５３５間には二本の対応するスライドレール（図示なし）を設置する。該上ケース体５３は該下ケース体５２上方に嵌合し、該上ケース体５３と該下ケース体５２は該底台５１上方に一緒に螺合する。該外ケース５４は該上ケース体５３と該下ケース体５２上方に嵌合し、該外ケース５４と該下ケース体５２は該底台５１上方に一緒に螺合する。
【００１２】
該第一伝動板６１中央底部は下向きに凸部６１１を形成し、該第一伝動板６１前段にはスリーブ６１２を設置する。該スリーブ６１２片側は上方へと９０度湾折し嵌合槽６１３を設置する。該スリーブ６１２の反対側は上方へと９０度湾折し、さらに外へと９０度湾折し翼部６１４を設置する。該第一伝動板６１は該下ケース体５２内に設置し、該第一伝動板６１の凸部６１１は該下ケース体５２底部の通孔５２１内にちょうど収容され、該下ケース体５２底部通孔５２１下方の気圧ゴムブロック５１２０に抵触する。該第二伝動板６２の片側は外へと延伸アーム６２１を伸出し、該第二伝動板６２の反対側にはやや下方へと曲がった翼部６２２を形成する。該第二伝動板６２中央部には上方へと約４５度傾斜を呈するばね片６２３を設置する。該第二伝動板６２の中央部、すなわちばね片６２３の片側には嵌合孔６２４を設置する。該第二伝動板６２は該第一伝動板６１上方に設置し、該第二伝動板６２は該第一伝動板６１よりやや広く、該第二伝動板６２の翼部６２２は該第一伝動板６１の翼部６１４より突出する。該第二伝動板６２の延伸アーム６２１は該下ケース体５２第一側壁５２２の可動孔５２３外に伸出し、該可動孔５２３上方において外へと突出し設置する孔台５２４と、該可動孔５２３下方において外へと突出し設置するガード板５２５の間に位置する。該プルばね６４のフック端６４１は該第一伝動板６１の嵌合槽６１３に係合し、該プルばね６４のもう一つのフック端６４２は該第二伝動板６２の嵌合孔６２４に係合する。該第三伝動板６３はベークライトにより製造する絶縁板で、該第三伝動板６３上方は上方へと突出するスライドブロック６３１で、該第三伝動板６３の下方は下方へと突出する触発ブロック６３２である。該第三伝動板６３の前方は前方へと突出するスライドブロック６３３で、該第三伝動板６３の後方は後方へと突出するスライドブロック６３４である。該第三伝動板６３の左右両側は外へと伸出し圧棒６３５、６３６をそれぞれ形成する。該第三伝動板６３は該上ケース体５３と該第二伝動板６２の間に設置し、該第三伝動板６３のスライドブロック６３１は該上ケース体５３の可動孔１３１に嵌入する。該第三伝動板６３の前方と後方のスライドブロック６３３、６３４は該上ケース体５３の対応する二本のスライドレール（図示なし）に対応し嵌入する。該第三伝動板６３の圧棒６３５は該上ケース体５３の開閉回路５３４の導電ばね片５３４２下縁に抵触し、該第三伝動板６３の圧棒６３６は該上ケース体５３の開閉回路５３５の導電ばね片５３５２下縁に抵触する。該第三伝動板６３の触発ブロック６３２底端は該第二伝動板６２中央部のばね片６２３上縁に抵触する。
【００１３】
該圧力調整ばねユニット６５は圧力調整ネジ６５１、双翼ナット６５２、圧縮ばね６５３により組成する。該圧力調整ばねユニット６５は該上ケース体５３のばね槽５３２内に設置し、該圧力調整ばねユニット６５の圧力調整ネジ６５１底部は該第一伝動板６１前段のスリーブ６１２外縁に嵌設し、該圧力調整ネジ６５１が該双翼ナット６５２に螺合する深度を利用し、該圧縮ばね６５３は該第一伝動板６１に圧力を加える。該微調整ばねユニット６６は圧力調整ネジ６６１、圧縮ばね６６２、プラスチック端子６６３により組成する。該微調整ばねユニット６６は該上ケース体５３のばね槽５３３内に設置し、該微調整ばねユニット６６のプラスチック端子６６３は該第一伝動板６１前段の翼部６１４上縁に抵触し、該圧力調整ネジ６６１が該ばね槽５３３上段の内ネジヤマ５３３１に螺合する深度を利用し、圧縮ばね６６２が該プラスチック端子６６３により該第一伝動板６１に加える圧力を微調整する。
該圧力制御弁６７はナット６７０により該下ケース体５２第一側壁５２２の孔台５２４上に接合し、該圧力制御弁６７の溢気ピストン６７１は該孔台５２４下方に向かい適当に伸出し、該下ケース体５２第一側壁５２２の可動孔５２３前方に位置し、該第二伝動板６２の延伸アーム６２１上縁に抵触する。
【００１４】
エアコンプレッサー(図示なし)のシリンダー（図示なし）は該底台５１の進気孔５１１に接合し、該シリンダーの空気は該底台５１の進気孔５１１より該底台５１の第一圧力釈放孔５１２、該第二圧力釈放孔５１３、該第三圧力釈放孔５１４へと進入する。送気管（図示なし）は該底台５１の第二圧力釈放孔５１３と該圧力制御弁６７に連接し、別の送気管（図示なし）は該底台５１の第三圧力釈放孔５１４と該圧力メーター（図示なし）に連接する。該制御棒６８は数字の７字型を呈し、該制御棒６８のフック端６８１は該下ケース体５２第二側壁５２６の軸孔５２７に穿入し、該第二伝動板６２の翼部６２２下縁に抵触する。該制御棒６８の軸棒６８２は該下ケース体５２第二側壁５２６の軸孔５２７に係合し、該制御棒６８のハンドル６８３は該下ケース体５２第二側壁５２６の軸孔５２７外に設置する。上方へと動かす制御棒６８のハンドル６８３により、該制御棒６８のフック端６８１は該第二伝動板６２を推し上方へと移動させ、該第二伝動板６２の延伸アーム６２１を連動し、該圧力制御弁６７の溢気ピストン６７１を上方へと推し、該圧力制御弁６７を開け、空気をぬく。さらに該第三伝動板６３を上方へと移動させ、該第三伝動板６３の圧棒６３５を連動し、該導電ばね片５３４２を推し該上ケース体５３開閉回路５３４の接触点５３４１から離れさせ上方へと移動させる。同時に、該第三伝動板６３の圧棒６３６を連動し、該導電ばね片５３５２を推し該上ケース体５３開閉回路５３５の接触点５３５１から離れさせ上方へと移動させ、圧力スイッチの電源を切断し、これによりエアコンプレッサー（図示なし）は運転を停止する。
【００１５】
上記のように、本考案実施例の圧力スイッチ５を構成する底台５１、下ケース体５２、上ケース体５３、外ケース５４、第一伝動板６１、第二伝動板６２、第三伝動板６３、プルばね６４、圧力調整ばねユニット６５、微調整ばねユニット６６、圧力制御弁６７などの構成部品は、公知の圧力スイッチ１を構成する底台１１、下ケース体１２、上ケース体１３、外ケース１４、第一伝動板２１、第二伝動板２２、第三伝動板２３、プルばね２４、圧力調整ばねユニット２５、微調整ばねユニット２６、圧力制御弁２７などの構成部品と完全に相同である。本考案実施例の圧力スイッチ５の特徴について以下に記述する。手動制御装置は該制御棒６８と該第二伝動板６２により組成し、該第二伝動板６２は該第一伝動板６１よりやや広く、該第二伝動板６２の片側には翼部６２２を形成し、該制御棒６８のフック端６８１は該第二伝動板６２の翼部６２２下縁に設置し、該制御棒６８を利用し該第二伝動板６２を直接推し上下移動を行わせ、該第二伝動板６２の延伸アーム６２１を連動し、該圧力制御弁６７の溢気ピストン６７１を推し、圧力スイッチの圧力制御弁６７を開かせ、該第三伝動板６３の圧棒６３５、６３６を連動し、圧力スイッチの電源を開閉する。
【００１６】
本考案実施例の圧力スイッチ５は該制御棒６８を利用し、該第二伝動板６２を直接推し上下移動を行わせ、該第二伝動板６２の延伸アーム６２１を連動し、該圧力制御弁６７の該溢気ピストン６７１を推し、圧力スイッチの圧力制御弁６７を開閉し、また、該第三伝動板６３の圧棒６３５、６３６を連動し、圧力スイッチの電源を開閉するため、該圧力調整ばねユニット６５の圧縮ばね６５３と微調整ばねユニット６６の圧縮ばね６６２に触れることがない。よって、該制御棒６８開閉の動作に大量の力を必要としない。こうして公知の圧力スイッチ１が制御棒２８と第一伝動板２１により組成する手動制御装置により第一伝動板２１を推し上方へと移動させるため、該圧力調整ばねユニット２５の圧縮ばね２５３と該微調整ばねユニット２６の圧縮ばね２６２に対抗する必要上、極めて大きな力が必要で、これにより該圧力調整ばねユニット２５の圧縮ばね２５３は圧迫されゆがみ易く、プラスチック材料により製造される上ケース体１３は圧迫され破裂し易いという欠点を改善することができる。
【００１７】
上記は本考案の最適具体的実施例に過ぎず、本考案を制限するものではない。本考案の精神の範囲内を離脱せずに行う各種幾何形状の制御棒を製造し、各種機械方式により第二伝動板に接合し組成する手動制御装置などの各種変形、修飾、応用は、すべて本考案の実用新案登録範囲に含まれるものとする。
【図面の簡単な説明】
【００１８】
【図１】公知の圧力スイッチの立体分解図である。
【図２】公知の圧力スイッチの透視図である。
【図３】公知の圧力スイッチのオフ動作概略図である。
【図４】公知の圧力スイッチのオン動作概略図である。
【図５】本考案実施例の圧力スイッチの立体分解図である。
【図６】本考案実施例の圧力スイッチの透視図である。
【図７】本考案実施例の圧力スイッチのオフ動作概略図である。
【図８】本考案実施例の圧力スイッチのオン動作概略図である。
【符号の説明】
【００１９】
１  公知の圧力スイッチ
１１  底台
１１１  進気孔
１１２  第一圧力釈放孔
１１３  第二圧力釈放孔
１１４  第三圧力釈放孔
１１２０  気圧ゴムブロック
１２  下ケース体
１２１  通孔
１２２  第一側壁
１２３  可動孔
１２４  孔台
１２５  ガード板
１２６  第二側壁
１２７  軸孔
１３  上ケース体
１３１  可動孔
１３２  ばね槽
１３３  ばね槽
１３２１  対応嵌合槽
１３２２  対応嵌合槽
１３２３  上出口
１３３１  内ネジヤマ
１３３２  下出口
１３４  開閉回路
１３４１  接触点
１３４２  導電ばね片
１３５  開閉回路
１３５１  接触点
１３５２  導電ばね片
１４  外ケース
２１  第一伝動板
２１１  凸部
２１２  スリーブ
２１３  嵌合槽
２１４  翼部
２２  第二伝動板
２２１  延伸アーム
２２２  ばね片
２２３  嵌合孔
２３  第三伝動板
２３１  スライドブロック
２３２  触発ブロック
２３３  スライドブロック
２３４  スライドブロック
２３５  圧棒
２３６  圧棒
２４  プルばね
２４１  フック端
２４２  フック端
２５  圧力調整ばねユニット
２５１  圧力調整ネジ
２５２  双翼ナット
２５３  圧縮ばね
２６  微調整ばねユニット
２６１  圧力調整ネジ
２６２  圧縮ばね
２６３  プラスチック端子
２７  圧力制御弁
２７０  ナット
２７１  溢気ピストン
２８  制御棒
２８１  フック端
２８２  軸棒
２８３  ハンドル
５  圧力スイッチ
５１  底台
５１１  進気孔
５１２  第一圧力釈放孔
５１３  第二圧力釈放孔
５１４  第三圧力釈放孔
５１２０  気圧ゴムブロック
５２  下ケース体
５２１  通孔
５２２  第一側壁
５２３  可動孔
５２４  孔台
５２５  ガード板
５２６  第二側壁
５２７  軸孔
５３  上ケース体
５３１  可動孔
５３２  ばね槽
５３３  ばね槽
５３２１  対応嵌合槽
５３２２  対応嵌合槽
５３２３  上出口
５３３  ばね槽
５３３１  内ネジヤマ
５３３２  下出口
５３４  開閉回路
５３４１  接触点
５３４２  導電ばね片
５３５  開閉回路
５３５１  接触点
５３５２  導電ばね片
５４  外ケース
６１  第一伝動板
６１１  凸部
６１２  スリーブ
６１３  嵌合槽
６１４  翼部
６２  第二伝動板
６２１  延伸アーム
６２２  翼部
６２３  ばね片
６２４  嵌合孔
６３  第三伝動板
６３１  スライドブロック
６３２  触発ブロック
６３３  スライドブロック
６３４  スライドブロック
６３５  圧棒
６３６  圧棒
６４  プルばね
６４１  フック端
６４２  フック端
６５  圧力調整ばねユニット
６５１  圧力調整ネジ
６５２  双翼ナット
６５３  圧縮ばね
６６  微調整ばねユニット
６６１  圧力調整ネジ
６６２  圧縮ばね
６６３  プラスチック端子
６７  圧力制御弁
６７０  ナット
６７１  溢気ピストン
６８  制御棒
６８１  フック端
６８２  軸棒
６８３  ハンドル
【図１】
0003142134.tif 000003
【図２】
0003142134.tif 000004
【図３】
0003142134.tif 000005
【図４】
0003142134.tif 000006
【図５】
0003142134.tif 000007
【図６】
0003142134.tif 000008
【図７】
0003142134.tif 000009
【図８】
0003142134.tif 000010